(57)【要約】【課題】  温風吹き出し口に設けられたルーバーの表面温度が、暖房停止時に急速に温度低下して、誤って触れても火傷しにくい温風暖房機を提供するとともにルーバーにゴミやホコリが付着しにくいものとする。【解決手段】  本体１内に設けられた高温ガスを発生する発熱部３と、この発熱部３により発生した高温ガスを本体１外に吹き出す温風吹き出し口８と、この温風吹き出し口８に設けられたルーバー９と、前記発熱部３の高温ガスを吹き出す温風送風機７とを備えた温風暖房機において、前記ルーバー９の表面に放熱塗料１２を塗布したことを特徴とする温風暖房機。【選択図】  図２
2005299976.tif 000002
【特許請求の範囲】
【請求項１】
本体（１）内に設けられた高温ガスを発生する発熱部（３）と、この発熱部（３）により発生した高温ガスを本体（１）外に吹き出す温風吹き出し口（８）と、この温風吹き出し口（８）に設けられたルーバー（９）と、前記発熱部（３）の高温ガスを吹き出す温風送風機（７）とを備えた温風暖房機において、前記ルーバー（９）の表面に放熱塗料（１２）を塗布したことを特徴とする温風暖房機。
【発明の詳細な説明】
【技術分野】
【０００１】
本発明は、石油ファンヒータ又は電気温風機といった温風暖房機に関し、特に温風の吹き出し口に設けられたルーバーの表面に誤って触っても火傷しにくい温風暖房機に関するものである。
【背景技術】
【０００２】
従来のこの種の温風暖房機の石油ファンヒータは、機体の内部に石油を燃焼し高温ガスを発生するためのバーナーと、このバーナーで発生した高温ガスを温風として機体外に吹き出すための温風送風機が備えられていて、温風送風機により外部の空気が機体内に取り入れられ、バーナーで発生した高温ガスを機体の前面下部に設けられた温風吹き出し口から機体外に吹き出すものである。このとき、温風吹き出し口から吹き出される温風は、温風吹き出し口に備えられたルーバーに吹き付けられ、ルーバーの働きにより方向が調節される。そして、温風の吹き出し口に備えられたルーバーは、金属板の表面に耐熱性短繊維の植毛を付着することにより熱伝導防止処理を施してあり、誤って手や指がルーバーに触れたとしても、金属板の表面に付着している植毛による熱伝導防止効果により高熱を感じることなく、火傷等の事故を防止することができる（例えば、特許文献１参照）。
【０００３】
【特許文献１】特開２００３−４３０４号公報
【発明の開示】
【発明が解決しようとする課題】
【０００４】
しかしながら、上記の従来技術において、ルーバーの表面には耐熱性短繊維の植毛を付着してあるため、ゴミやホコリがルーバーの表面の植毛に付着しやすく、外観的に芳しくないものであった。
【課題を解決するための手段】
【０００５】
本発明は上記の問題を解決するためになされたものであり、本体内に設けられた高温ガスを発生する発熱部と、この発熱部により発生した高温ガスを本体外に吹き出す温風吹き出し口と、この温風吹き出し口に設けられたルーバーと、前記発熱部の高温ガスを吹き出す温風送風機とを備えた温風暖房機において、前記ルーバーの表面に放熱塗料を塗布したものである。
【発明の効果】
【０００６】
本発明の温風暖房機は、上記のように構成したことにより、
温風の吹き出しによりルーバーの表面温度が高温になっても、ルーバーの表面に放熱塗料を塗布したため、ルーバーの表面から熱放射し易くなり、温風暖房機の運転を停止したときのルーバーの表面温度は熱放射による放熱により急速に温度が低下し、誤って手や指がルーバーに触った場合でも火傷を防止でき、安全性を保つことができる。
【０００７】
また、ルーバーの表面は平坦であるためゴミやホコリが付着しにくく外観的に優れたものとすることができる。
【発明を実施するための最良の形態】
【０００８】
以下、本発明の一実施例を図１、図２を参照して説明する。図１は本発明の一実施例を示す温風暖房機の縦断面図、図２は同じくルーバーの縦断面図である。
【０００９】
図において、１は石油ファンヒータの本体である。２は本体１内に設けられた燃焼室で、その内部には発熱部３を構成する石油を燃焼し高温ガスを発生するバーナー４が配設されている。
【００１０】
５は送風経路で、燃焼室２を覆うように設けられており、その上流側は燃焼室２の背面開口部２ａ及び本体１の背面に開口した吸い込み口６に連なり、下流側は本体１の前面下部に設けられた後記する温風吹き出し口８に連なっている。
【００１１】
７は温風送風機で、吸い込み口６の内側に配設されていてバーナー４で発生する高温ガスを送風経路５を通して温風として本体１外に吹き出すものである。
【００１２】
８は本体１の前面下部に設けられた温風吹き出し口で、この温風吹き出し口８は、ルーバーベース１０に複数のルーバー９をカシメた構成と成っている。そして、このルーバー９により温風の方向を調節して室内に吹き出すようにしている。また、ルーバーベース１０は送風経路５に押し当てる構造で、本体１内に温風が回り込まないように、燃焼室２側と本体１側を分けている。
【００１３】
そして、ルーバー９とルーバーベース１０は鋼材１３の表面に耐熱塗料１１を塗布し、さらにその上に後記する放熱塗料１２が塗布されている。
【００１４】
１２は放熱塗料で、液体セラミックを主成分とした塗料で、熱を遠赤外線にして放熱するものであり、セラミックの優れた放射特性により熱放射率が約９０％と高いものである。
【００１５】
本発明は以上の構成よりなり、次にその作用を説明する。
【００１６】
温風暖房機の運転を開始すると、発熱部３にあるバーナー４で燃焼が行われ、温風送風機７が動作して、吸い込み口６から室内の空気を送風経路５内に取り入れ、一部は燃焼室２の背面開口部２ａを通して燃焼室２内の燃焼排ガスの高温ガスと混合し、他の一部は燃焼室の外側の送風経路５を通して温風吹き出し口８側に達し、そこで混合されて温風となって温風吹き出し口８のルーバー９で温風の方向が調節されて室内に放出される。
【００１７】
そして、温風吹き出し口８では、放熱塗料１２を塗布したルーバー９とルーバーベース１０の間を温風が流れることにより、これらに温風が当たり温度上昇して高温になっている。
【００１８】
温風暖房機の運転を停止すると、バーナー４の燃焼が停止し、温風送風機７の動作も停止して温風吹き出し口８からの温風の吹き出しが停止する。そうすると、温風吹き出し口８のルーバー９とルーバーベース１０の表面に塗布した放熱塗料１２の熱放射特性により、ルーバー９とルーバーベース１０の熱が遠赤外線となって放熱するため表面温度が急速に低下するようになる。
【００１９】
このように、温風の吹き出しによりルーバー９及びルーバーベース１０の表面温度が高温になっても、ルーバー９及びルーバーベース１０の表面に放熱塗料を塗布したため、これらの表面から熱放射し易くなり、温風暖房機の運転を停止したときのルーバー９及びルーバーベース１０の表面温度は熱放射による放熱により急速に温度が低下し、誤って手や指がルーバー９に触った場合でも火傷を防止でき、安全性を保つことができる。
【００２０】
また、ルーバー９の表面は平坦であるためゴミやホコリが付着しにくく外観的に優れたものとすることができる。
【図面の簡単な説明】
【００２１】
【図１】本発明の一実施例を示す温風暖房機の縦断面図である。
【図２】同じくルーバーの縦断面図である。
【符号の説明】
【００２２】
１  本体
３  発熱部
７  温風送風機
８  温風吹き出し口
９  ルーバー
１２  放熱塗料
【図１】
2005299976.tif 000003
【図２】
2005299976.tif 000004